(57)【要約】【課題】部品点数が少なく、コストが軽減でき、容量が小さくでき、容易に交換でき、カビが生えたり、臭いがしたりすることが防げ衛生的であり、ゴミ処理が容易であり、自動車の乗降者の安全が図られ、雨除け部に着いた雨水が流れやすくなる自動車用雨除け具を提供する。【解決手段】  厚紙１がアコーディオン式に折りたためるように、厚紙１に山折り部２と谷折り部３を交互に複数設ける。厚紙１を扇形状にする。山折り部２と谷折り部３が交互に設けられていない厚紙１の片方の端部４を厚紙固定具５に取り付ける。【選択図】図２
0003121292.tif 000002
【実用新案登録請求の範囲】
【請求項１】
（イ）厚紙１がアコーディオン式に折りたためるように、厚紙１に山折り部２と谷折り部３を交互に複数設ける。（ロ）厚紙１を扇形状にする。（ハ）山折り部２と谷折り部３が交互に設けられていない厚紙１の片方の端部４を厚紙固定具５に取り付ける。  以上のごとく構成された、自動車用雨除け具。
【考案の詳細な説明】
【技術分野】
【０００１】  この考案は、自動車の乗降者が雨に濡れにくくなる雨除け具に関するものである。
【背景技術】
【０００２】  従来の自動車用雨除け装置には、次のようなものがある。ア：車内に巻き取り装置を設けた雨除けシートを伸ばして、雨除けシートに取り付けてある磁石を利用してドアに取り付けるもの。（実用新案公開平５−６８７１５）イ：車内の伸縮雨除け部収納装置から、ドアを開けて、伸縮雨除け部を外に張り出すもの。（登録実用新案第３００７７１５号）ウ：車体の屋根に伸縮雨除け部収納装置を設け、伸縮雨除け部の一部をドアに取り付けたもの。（特許公開２０００−１０８６７１）
【考案の開示】
【考案が解決しようとする課題】
【０００３】  これらの自動車用雨除け装置には次のような欠点がある。エ：上記ア（実用新案公開平５−６８７１５）は、雨除けシートをドアに磁石で取り付けるが、車種によって磁石が取り付けにくい場合や取り付けられないことがある。オ：上記イ（登録実用新案第３００７７１５号）は、伸縮雨除け部を外に張り出したり収納したりするので、装置が大掛かりで複雑になる。カ：上記ウ（特許公開２０００−１０８６７１）は、車体の屋根に伸縮雨除け部収納装置を設けたりするもので、装置が大掛かりで複雑になる。  本考案は、これらの欠点を解決するためになされたものである。
【課題を解決するための手段】
【０００４】  本考案は、図２で示すように、（イ）厚紙１がアコーディオン式に折りたためるように山折り部２と谷折り部３を交互に複数設ける。（ロ）厚紙１を扇形状にする。（ハ）山折り部２と谷折り部３が交互に設けられていない厚紙１の片方の端部４を厚紙固定具５に取り付ける。【０００５】  山折り部２と谷折り部３が設けられていない厚紙１のもう一方の端部６は、ドア７の窓ガラス８を少し開けて、窓ガラス８とドア枠９の隙間に挿入してから窓ガラス８を閉めて、窓ガラス８とドア枠９で挟むようにする。（図１）  本考案は、以上のごとく構成された、自動車の乗降者が雨に濡れにくくなる雨除け具である。
【考案の効果】
【０００６】  本考案により次の効果を生む。１：従来の装置に比べ、装置の部品点数が少なく抑えられるので、コストが軽減できたり、容量が小さくて済むため乗降者の邪魔になりにくくなる。２：雨除け部の厚紙は必要に応じて容易に交換できるため、カビが生えたり、臭いがしたりすることが防げ衛生的であり、交換した厚紙はゴミ処理が容易である。３：雨除け部が厚紙なので、自動車の乗降者が触れても怪我がしにくい。４：雨除け部には谷折り部が複数あるで、雨除け部に着いた雨水が谷底に集まり易くなって水はけがよくなり、ドアを閉めても車内が濡れにくくなる。
【考案を実施するための最良の形態】
【０００７】  以下、本考案を実施するための最良の形態を説明する。  本考案は、図２で示すように、次の構成からなっている。（イ）厚紙１がアコーディオン式に折りたためるように山折り部２と谷折り部３を交互に複数設ける。（ロ）厚紙１を扇形状にする。（ハ）山折り部２と谷折り部３が交互に設けられていない厚紙１の片方の端部４を厚紙固定具５に取り付ける。【０００８】  （イ）の「厚紙１がアコーディオン式に折りたためるように山折り部２と谷折り部３を交互に複数設ける。」について説明する。  雨除け部を厚紙１にしたのは、伸ばし易く、かつ、たたみ易くするためである。厚紙１の材質は紙が基本だが、紙のように軽くて、薄くでき、伸ばし易く、かつ、たたみ易いプラスチックなどでもよい。【０００９】  山折り部２と谷折り部３を設ける間隔は、運転者が運転やドアの開閉に支障をきたさない程度にする。間隔が大きいと視界がさえぎられ、間隔が小さいとたたみにくくなるからである。【００１０】  厚紙１に山折り部２と谷折り部３を交互に複数設けるのは、厚紙１に着いた雨水が、平面の雨除け部に比べ流れやすくするためである。  厚紙１の表面を雨水をはじくようにコーティング処理すると、厚紙１に着いた雨水をより流れやすくできる。【００１１】  （ロ）の「厚紙１を扇形状にする。」について説明する。  形状を扇形状にするのは、ドア７が弧を描いて開閉するからである。【００１２】  （ハ）の「山折り部２と谷折り部３が交互に設けられていない厚紙１の片方の端部４を厚紙固定具５に取り付ける。」について説明する。  厚紙固定具５は、自動車乗降口の上部付近の車内に取り付けるものである。  厚紙固定具５は、図７で示すように厚紙１の端部が挿し込めるものや、図示しないが、クリップなどでとめられるもので、なるべく薄型にして車内に取り付ける。取り付け方は、両面テープ、ネジ止めでよい。【００１３】  また図示しないが、厚紙固定具５は、一部に延長棒を取り付け、日除けの軸に取り付けられるものにしてもよい。
【他の実施例】
【００１４】  図３、４で示すように、厚紙１の代わりに、数倍に伸びる布１１を使用してもよい。  伸ばさないときは、小さくなっているので、運転者の邪魔になりにくい。
【００１５】  図５、６で示すように、厚紙１の代わりに、薄手のゴム１２を使用してもよい。  伸ばさないときは、小さくなっているので、運転者の邪魔になりにくい。
【使用例】
【００１６】  本考案は、次のように使用する。（図１参照）１：厚紙固定具５を隙間２１が上になるように、自動車乗降口の上部付近の車内に取り付ける。２：厚紙１の端部４を厚紙固定具５の隙間２１に奥まで挿入する。３：厚紙１の端部６を、ドア７の窓ガラス８を少し開けて、窓ガラス８とドア枠９の隙間に挿入してから窓ガラス８を閉めて、窓ガラス８とドア枠９で挟む。４：用が済んだら厚紙１を厚紙固定具５から取り外す。
【図面の簡単な説明】
【００２１】
【図１】は、本考案の使用例を示す側面図である。
【図２】は、本考案の斜視図である。
【図３】は、本考案の他の実施例を示す平面図である。
【図４】は、本考案の他の実施例を示す平面図である。
【図５】本考案の他の実施例を示す平面図である。
【図６】本考案の他の実施例を示す平面図である。
【図７】は、本考案の厚紙固定具５の斜視図である。
【図８】は、本考案の厚紙固定具５の断面図である。
【符号の説明】
【００３１】１厚紙    ２山折り部    ３谷折り部    ４端部    ５厚紙固定具６端部    ７ドア        ８窓ガラス    ９ドア枠    １０車体１１伸びる布    １２ゴム    １３窓挟み部    １４車内取り付け部１５隙間    １６ハンドル
【図１】
0003121292.tif 000003
【図２】
0003121292.tif 000004
【図３】
0003121292.tif 000005
【図４】
0003121292.tif 000006
【図５】
0003121292.tif 000007
【図６】
0003121292.tif 000008
【図７】
0003121292.tif 000009
【図８】
0003121292.tif 000010